(57)【特許請求の範囲】
【請求項１】
食器洗い機の後端が後端固定金具で押さえられ、前方の脚が前方位置決め手段の移動防止金具で押さえられていて、当該移動防止金具によって受け台上で前後方向に位置決めされ固定されているビルトインタイプの食器洗い機の移動防止装置であって、
受け台上面の先端部にストッパピンが固定されており、
上記移動防止金具がＬ形移動防止部材であり、その底辺の先端に切り欠きがあるものであり、
移動防止金具の底辺後縁に当接部があり
移動防止金具の底辺先端の切り欠きが上記ストッパピンに係合し、また、縦辺が食器洗い機本体の前面にネジ止めされており、
移動防止金具の底辺後縁の上記当接部が食器洗い機の前方の脚に当接してこれを前方から押さえていることを特徴とする食器洗い機の移動防止装置。
【請求項２】
上記移動防止金具の底辺先端部に横方向に並んで２つのＵ形切り欠きがあることを特徴とする請求項１の食器洗い機の移動防止装置。
【請求項３】
上記移動防止金具の底辺後縁に設けられた上記当接部の後端面が後方に開いたＶ形の傾斜面であることを特徴とする請求項１又は請求項２の食器洗い機の移動防止装置。
【発明の詳細な説明】
【技術分野】
【０００１】
この発明は、ビルトインタイプの食器洗い機の移動防止装置に関するものであり、食器洗い機を受け台上で位置決めし、前後方向に移動しないように固定する移動防止装置について、食器洗い機をキッチンカウンターに組み込むときの組み込み作業を容易にし、また、移動防止装置による位置決め及び固定作業を簡単容易にするものである。
【背景技術】
【０００２】
システムキッチンに食器洗い機、殊に引き出し式食器洗い機を組み込んで設置するとき、その設置スペースが狭くて作業性が非常に悪い。また、食器洗い機の前面（前扉の前面）はシステムキッチンの前面の一部をなすものであるから、その設置位置は正確でなければならない。そしてまた、洗浄槽が前後方向に出し入れされるとき、食器洗い機本体に前後方向の衝撃が加わるので、食器洗い機本体１０を受け台３０に対して前後方向にしっかり固定しなければならない。このために、上記本体１０は、移動防止装置により受け台３０上の所定位置に正確に位置決めされ、しっかり固定されるようになっている（図１５参照）。
【０００３】
食器洗い機は本体に引き出されるように洗浄槽が組み込まれているものであり、洗浄槽が本体（食器洗い機本体）１０に組み込まれた状態でシステムキッチンに組み込まれて設置される。
食器洗い機の移動防止装置については、食器洗い機を受け台３０上の狭いスペースに押し込むときその押し込み操作の邪魔にならず、食器洗い機の位置決めが容易であり、また、受け台３０に本体１０を固定する固定作業が簡単容易に、且つしっかりと固定されるものであることが必要であり、このための移動防止装置が種々に工夫されている。その一例が、特開２００２−３１５７１０号公報（特許文献１）に記載されているものであり、また、他の一例が特許第０３７８４５０号公報（特許文献２）に記載されているものである。
【０００４】
〔特許文献１〕
特許文献１に記載されている移動防止装置（従来例１）は、前方位置決め手段１００と後方位置決め手段２００とによるもので、図７〜図１０に示されているものである。そしてこの移動防止装置は、受け台３０の上面後端にビス止めされた後端固定金具３１Ｂと上面先端にビス止めされた先端固定金具３１Ａとによって本体１０を前後方向に位置決めし固定している。すなわち、食器洗い機本体１０の後端面を後端固定金具３１Ｂの垂直フランジ３１ｂに当接させて後方から押さえ、先端固定金具３１Ａの垂直フランジ３１ａと本体１０の前面１０ａの間にＬ形の移動防止金具３２を上方から挿入し、これを本体１０の前面１０ａにビス３３で固定して前方から押さえて前後方向に固定している。なお、上記後端固定金具３１Ｂはその底辺に前後方向長孔３１ｃ（図８）を有しており、当該固定金具３１Ｂの前後方向位置が上記長孔３１ｃの範囲で微調整されるようになっている。また、上記移動防止金具３２は縦方向の長孔３４を有し、この長孔３４にビス３３が挿入されていて、当該長孔の範囲で移動防止金具３２の上下方向位置が微調整されるようになっている。
【０００５】
〔特許文献２〕
特許文献２に記載されている他の移動防止装置（従来例２）は、従来例１のものに対して、先端固定金具と移動防止金具による前方位置決め手段１００の構造が異なり、当該前方位置決め手段１００の構造は図１１〜図１５に示されているものである。すなわち、その先端固定金具４１に、移動防止金具４５が組み合わされ、移動防止金具４５で食器洗い機の前方の脚（以下これを単に「脚」という）１１を前方から押さえているものである。
受け台３０の上面先端に先端固定金具４１がビスで固定されている。この先端固定金具４１は受け台３０の横幅にほぼ等しい長さを有する帯状のものであり、その後辺にその一部を切り起こして後向きのＬ形係止片（垂直部４２ａと水平部４２ｂとによる係止片（図１１参照）４２が形成されており、当該Ｌ形係止片４２がその左右にある。そしてまた、当該先端固定金具４１の前辺の左右外端にその一部を切り起こして前向きのＬ形係止片（垂直部と水平部とによる係止片）４３が形成されている。
上記脚１１を前方から押さえる移動防止金具４５は帯状部材であり、その後辺の左右両側部にその一部を切り起こして垂直に曲げて形成された当接部４６があり、当該当接部４６よりも内側（横方向内側）に切り欠き４７がある。そして当該切り欠き４７に横方向スロット４７ａが連設されており、当該横方向スロット４７ａによって右方向に延びた係止片４８が形成されている。さらに、移動防止金具４５の前辺の左右両側端を垂直に曲げて当接部４９が形成されている。
【０００６】
食器洗い機を受け台３０上に載せ、後方に押し込んでその後端を後端固定金具３１Ｂの垂直フランジ３１ｂ（図８参照）に当接させる。そしてこの状態において先端固定金具４１に上記移動防止金具４５が組み付けられ、これで本体１０が前後方向に位置決めされ、固定される。そのためにまず移動防止金具４５を先端固定金具４１に対して左側に寄せた状態で組み合わせ、その後これを右側にスライドさせる。これによって、移動防止金具４５の上記横方向スロット４７ａに先端固定金具４１の後向きのＬ形係止片４２の垂直部４２ａが嵌り込み、そして、係止片４８が後向きのＬ形係止片４２の下に入り込む（図１３）。またこのとき、移動防止金具４５の左右両端の当接部４６が脚１１の前方位置に移動して脚１１を前方から押さえるようになる。
【０００７】
この従来例２は、移動防止金具４５が本体１０の前面１０ａを押さえているものではなく、前方の脚１１を押さえているものであり、また本体１０と受け台３０の上面との間のスペースに収められているので、比較的大きな移動防止金具を用いることができ、したがって、左右両側部に対する２つの前方位置決め手段を一つの先端固定金具と一つの移動防止金具とによって構成することができる。
また、従来例１では洗浄槽を引き出しておいて本体前面１０ａに移動防止金具をビスで固定することになるが、これに対して従来例２は洗浄槽を本体１０に押し込んだままで先端固定金具４１に組み付けて上記脚１１を前方から押さえることができ、また、移動防止金具４５をビス止めする必要がない。したがって、前方位置決め手段１００の組み付け作業が簡単容易である。
【０００８】
先端固定金具４１の左右両端の前向きのＬ形係止片４３にＬ形の補助部材５０の下端を係合させ、さらにこれを本体１０の前面１０ａにビスで固定することにより、本体が先端固定金具４１を介して上下方向に固定されることになる。また、上記補助部材５０に前向きのＬ形係止片４３が当たっていてこれにより上記移動防止金具４５が左右両側方から押さえられるので、移動防止金具４５が先端固定金具４１の後向きのＬ形係止片４２から外されてしまうことはない。
【０００９】
以上が従来例１、従来例２の概要であるが、これらはいずれも先端固定金具を受け台上面の先端部にビスで固定し、これに移動防止金具を組み付けるものである。したがって、本体１０を受け台３０上の所定位置に位置決めして固定するには、先端固定金具を受け台の所定位置に固定し、移動防止金具を先端固定金具に組み付け、また、移動防止金具を食器洗い機本体に固定する等の多くの作業が必要である。
また、食器洗い機を受け台３０上の狭いスペースに押し込んで装着するとき、先端固定金具４１が脚１１に干渉するので邪魔になり、この作業が一層困難になっている。
【特許文献１】特開２００２−３１５７１０号公報
【特許文献２】特許第０３７８４５０号公報
【発明の開示】
【発明が解決しようとする課題】
【００１０】
ところで、食器洗い機を受け台上の所定位置に固定するための前方位置決め手段については、部品数が少ない方がよく、また、食器洗い機を受け台に組み込んで固定するときの作業工数が少ない方がよい。
そこで、この発明は、食器洗い機の前方の脚を前方から押さえて食器洗い機を位置決めして固定する前方位置決め手段について、その構成が単純になり、また、当該前方位置決め手段の取り付け作業が簡単容易になるように、その機構構造を工夫することをその課題とするものである。
【課題を解決するための手段】
【００１１】
上記課題を解決するための手段は、食器洗い機の後端が後端固定金具で押さえられ、前方の脚が前方位置決め手段の移動防止金具で押さえられていて、これによって受け台上で前後方向に位置決めされ固定されている食器洗い機の移動防止装置について、次の（イ）〜（ホ）によるものである。
（イ）受け台上面の先端部にストッパピンが固定されており、
（ロ）移動防止金具がＬ形移動防止部材であり、その底辺の先端に切り欠きがあるものであり、
（ハ）移動防止金具の底辺後縁に当接部があり、
（ニ）移動防止金具の底辺先端の切り欠きが上記ストッパピンに係合し、また、縦辺が食器洗い機本体の前面にネジ止めされており、
（ホ）移動防止金具の底辺後縁の上記当接部が食器洗い機の前方の脚に当接してこれを前方から押さえていること。
【発明の効果】
【００１２】
受け台の上面先端部にストッパピンが固定され、食器洗い機が受け台上面に載せられ、その後端が後端固定金具に当接するまで受け台上のスペースに押し込まれ、次いで、移動防止金具の底辺先端の切り欠きを上記ストッパピンに係合させ、縦辺を食器洗い機本体前面にビスで固定すると、その底辺が本体先端の下側に入り込み、底辺後縁の上記当接部が上記脚に当接してこれを前方から押さえる。
この発明によるときは、受け台上面の先端部には先端固定金具は設けられていないから、食器洗い機を受け台に載せて押し込むときに先端固定金具のような邪魔になるものがなく、したがって、食器洗い機を受け台上の狭いスペースに押し込むのが容易である。
【００１３】
そして、食器洗い機の先端を固定する前方位置決め手段は、ストッパピンとＬ形移動防止部材によるものであり、従来例１、従来例２のように先端固定金具を備えてはおらず、ストッパピンとＬ形移動防止部材だけであるから、前方位置決め手段のための部品数が少なく、また、従来例のように先端固定金具を受け台上面の所定位置に固定する必要がないので、前方位置決め手段の取り付け作業が簡単容易である。
【００１４】
〔実施態様１〕
実施態様１は、移動防止金具（Ｌ形移動防止部材）の底辺先端部に横方向に並んで２つのＵ形切り欠きがあることである。
上記移動防止金具の底辺先端部のＵ形切り欠きは一つでよいが、Ｕ形切り欠きを２つ備えていると、ストッパピンの異なる２つの位置に対して一つのＬ形移動防止金具で対応することができる。したがって、２つのＵ形切り欠きを選択的に使用することによって、ストッパピンの位置を必要に応じて他の位置に変更することができる。例えば、作業現場でストッパピンの固定位置を間違えて受け台上面に一旦固定してしまった場合はこれを外して別の位置に固定し直すことになるが、この場合、ストッパピンの位置が異なるにも関わらず、同じ移動防止金具を用いることができる。
【００１５】
〔実施態様２〕
実施態様２は、移動防止金具の底辺後縁に設けられた上記当接部の後端面は後方に開いたＶ形の傾斜面であることである。
移動防止金具が取り付けられるとき、上記当接部のＶ形に開いた傾斜面が脚に当たってこれを押すので、上記傾斜面のカム作用で脚の左右方向位置が所定位置に調整される。したがって、食器洗い機の受け台上の左右方向位置が自動的に所定位置に調整され、その位置に保持される。
【発明を実施するための最良の形態】
【００１６】
次いで、図１〜図６を参照して実施例を説明する。
〔実施例１〕
この実施例１の先端固定金具２０は左右の段付ビス２１と左右の横長のＬ形移動防止部材２２とによるものである。そして上記段付ビス２１は木製の受け台３０上面の先端部に固定される段付ビスであり、小径部２１ａ、大径部２１ｂ、頭２１ｃを備えており、大径部２１ｂ、頭２１ｃが突出した状態で受け台３０の上面に固定される。Ｌ形移動防止部材２２は底辺２５、縦辺２６を有し、底辺２５の先端にＵ形切り欠２７がある。底辺２５は水平部２５ａと垂直フランジ２５ｂとによる断面Ｌ形のものであり、水平部２５ａの後縁に当接部２８がある。当接部２８は上記Ｕ形切り欠２７の近くにあり、また、当接部２８の後端面は後方に開いたＶ形の傾斜面２８ａになっている。
【００１７】
受け台３０上の所定位置に段付ビス２１を固定した状態で、食器洗い機が受け台３０上に載せられ、押し込まれる。食器洗い機が押し込まれると、その後端が後端固定金具（図８の後端固定金具３１Ｂ参照）で当接して後方から押さえられる。この状態で、Ｌ形移動防止部材２２のＵ形切り欠２７を段付ビス２１の大径部２１ｂに係合させ、その後、Ｌ形移動防止部材２２を段付ビス２１を支点にして後方（図５の矢印ｘ方向）に回動させ、その縦辺２６の孔２６ａにビス３３を挿入し、本体前面１０ａのネジ孔１０ｂにねじ込んでこれを締め付け、これによって縦辺２６を本体１０の前面１０ａに固定する。これにより、底辺２５の当接部２８が脚１１に当設して脚１１を前方から押さえることになる（図５における矢印ｘ１）。そして、このとき、脚１１が当接部２８のＶ形辺２８ａに当接するので、本体１０はＬ形移動防止部材２２によって左右方向にも位置決めされ固定される。
【００１８】
以上のとおりであるから、Ｌ形移動防止部材２２の取り付け操作は極めて簡単容易である。そして、ビス３３を取り外すことによって、Ｌ形移動防止部材２２は簡単容易に取り外される。
【００１９】
〔実施例２〕
図６に示す実施例２は横に並んだ２つのＵ形切り欠２７，２７を備えているものである。その他の点は実施例１と違いはない。
実施例２のＬ形移動防止部材２２Ａの食器洗い機本体１０の前面１０ａに対する位置関係は一定であるが、段付ビス２１の受け台３０に対する固定位置が第１位置とは異なる第２位置であるときは、その位置に応じて２つのＵ形切り欠２７，２７のうちの他のものが使用される。２つのＵ形切り欠き２７，２７のいずれを段付きビス２１に係合させても、Ｌ形移動防止部材２２Ａを本体１０の前面に取り付けることによって脚１１が前方から押さえられる。
【図面の簡単な説明】
【００２０】
【図１】は実施例の組み付け作業の初期段階を示す斜視図
【図２】は実施例の組み付け作業の中間段階を示す斜視図
【図３】は実施例の組み付け作業の最終段階を示す斜視図
【図４】（ａ）は実施例における移動防止金具の斜視図、（ｂ）は実施例の段付きビスの斜視図
【図５】は実施例における移動防止金具と段付きビスと食器洗い機の前方の脚との関係を示す斜視図
【図６】は実施例２の移動防止金具の斜視図
【図７】は従来例１の前方位置決め手段の正面図
【図８】は従来例１の後端固定金具の斜視図
【図９】は従来例１の前方位置決め手段の斜視図
【図１０】は従来例１の前方位置決め手段の側面図
【図１１】は従来例２の先端固定金具の斜視図
【図１２】は従来例２の移動防止金具の平面図
【図１３】は従来例２の前方位置決め手段の一部斜視図
【図１４】は従来例２の前方位置決め手段の側面図
【図１５】は従来例２の先端固定金具と補助部材との関係を示す側面図
【符号の説明】
【００２１】
１０：食器洗い機本体
１０ａ：本体１０の前面
２１：段付きビス（ストッパピン）
２２，２２Ａ：Ｌ形移動防止部材
２５：Ｌ形移動防止部材の底辺
２６：Ｌ形移動防止部材の縦辺
２７：Ｕ形切り欠き
２８：当接部
２８ａ：Ｖ形の傾斜面
３０：受け台
１００：前方位置決め手段
２００：後方位置決め手段
【図１】
0004775916.tif 000002
【図２】
0004775916.tif 000003
【図３】
0004775916.tif 000004
【図４】
0004775916.tif 000005
【図５】
0004775916.tif 000006
【図６】
0004775916.tif 000007
【図７】
0004775916.tif 000008
【図８】
0004775916.tif 000009
【図９】
0004775916.tif 000010
【図１０】
0004775916.tif 000011
【図１１】
0004775916.tif 000012
【図１２】
0004775916.tif 000013
【図１３】
0004775916.tif 000014
【図１４】
0004775916.tif 000015
【図１５】
0004775916.tif 000016